(57)【要約】      （修正有）【課題】オプション部材をなくして、体の小さな新生児から成長した幼児まで、保持可能なベビーキャリアを提供する。【解決手段】ベビーキャリア１０を、乳幼児を保持可能な胴部３０と、胴部３０の下端側で連結される腰ベルト部２０と、胴部３０の上端側から延設される右肩ベルト５０、左肩ベルト（肩ベルト部）と、を有するキャリア本体１５と、上端側でキャリア本体１５の上端側で着脱可能に連結されるとともに、下端側でキャリア本体１５の下端側で連結され、乳幼児を胴部３０とで挟み込み可能なハーネス７０と、を備える構成とする。乳幼児を保持する場合に、ハーネス７０の上端側とキャリア本体１５の上端側とを離脱させるとともに、ハーネス７０の上端側とキャリア本体１５の下端側とを係合させることにより、ハーネス７０が、乳幼児の尻の位置を上側に配置可能とするかさ上げ状態となる。【選択図】図５
0003198213.tif 000002
【実用新案登録請求の範囲】
【請求項１】
乳幼児を保持可能な胴部と、前記胴部の下端側で連結される腰ベルト部と、前記胴部の上端側から延設される肩ベルト部と、を有するキャリア本体と、
上端側で前記キャリア本体の上端側で着脱可能に連結されるとともに、下端側で前記キャリア本体の下端側で連結され、乳幼児を前記胴部とで挟み込み可能なハーネスと、を備え、
乳幼児を保持する場合に、前記ハーネスの上端側と前記キャリア本体の上端側とを離脱させるとともに、前記ハーネスの上端側と前記キャリア本体の下端側とを係合させることにより、前記ハーネスが、乳幼児の尻の位置を上側に配置可能とするかさ上げ状態となることを特徴とするベビーキャリア。
【請求項２】
前記ハーネスの上端側には、一対のハーネス側連結ベルトが配設され、
前記ハーネス側連結ベルトの一方には、雄型バックルが配設され、他方には、雌型バックルが配設され、
前記ハーネスをかさ上げ状態とするときに、前記雄型バックルと前記雌型バックルとが、前記キャリア本体の下端側に配設される筒状の筒部材内で連結可能とされていることを特徴とする請求項１に記載のベビーキャリア。
【請求項３】
前記ハーネスと、前記キャリア本体の下端側とが係合することで、かさ上げ状態となった前記ハーネスの形状を保持する形状保持手段を有していることを特徴とする請求項１又は２に記載のベビーキャリア。
【請求項４】
前記ハーネスには、充填物を充填可能な充填部が設けられていることを特徴とする請求項１、２又は３に記載のベビーキャリア。
【請求項５】
前記胴部の上部には、乳幼児の頭部を保持する帯状のヘッドカーテンを収納可能な収納部が設けられ、
前記ヘッドカーテンは、一端側で前記収納部内に取り付けられ、他端側は自由端とされ、一端側の幅が他の部分より小さく形成された幅狭部を有し、前記収納部の出入り口の幅が、前記幅狭部の幅と略同一に形成されていることを特徴とする請求項１、２、３又は４に記載のベビーキャリア。
【考案の詳細な説明】
【技術分野】
【０００１】
本考案は、乳幼児を抱っこ又はおんぶで保持可能なベビーキャリアに関する。
【背景技術】
【０００２】
従来のべビーキャリアは、背当て部及び背当て部の上部に頭部安定用の頭当て部材を有し、乳幼児を収容保持するキャリア本体と、キャリア本体に取り付けられる左右一対のショルダーベルトと、を備えていた。
【先行技術文献】
【特許文献】
【０００３】
【特許文献１】登録実用新案第３０７７９９２号公報
【考案の概要】
【考案が解決しようとする課題】
【０００４】
しかし、上記のベビーキャリアは、体の大きな幼児を保持可能なサイズに形成されているので、体の小さな新生児を保持する場合には大き過ぎて、そのまま使用すると、新生児がベビーキャリアの本体と使用者の身体の間に埋もれて、気道が圧迫されるおそれがあり、オプションで別途乳幼児パッドを装着しなければならず、４０００〜５０００円程度のコストがかかるという問題があった。
【０００５】
本考案は、上記事情に鑑み、オプション部材をなくして、体の小さな新生児から成長した幼児まで、保持可能なベビーキャリアを提供することを目的とする。
【課題を解決するための手段】
【０００６】
請求項１記載の考案では、乳幼児を保持可能な胴部と、胴部の下端側で連結される腰ベルト部と、胴部の上端側から延設される肩ベルト部と、を有するキャリア本体と、上端側でキャリア本体の上端側で着脱可能に連結されるとともに、下端側でキャリア本体の下端側で連結され、乳幼児を胴部とで挟み込み可能なハーネスと、を備え、乳幼児を保持する場合に、ハーネスの上端側とキャリア本体の上端側とを離脱させるとともに、ハーネスの上端側とキャリア本体の下端側とを係合させることにより、ハーネスが、乳幼児の尻の位置を上側に配置可能とするかさ上げ状態となる。
【０００７】
これによれば、ハーネスを折り込む、巻く等して変形させてから、ハーネスの上端側とキャリア本体の下端側とを係合させることにより、かさ上げ状態とすることで、体の小さい新生児の尻の位置を上側に配置して頭部の位置を適切にすることが可能となり、オプション部材を不要とし、低コストでベビーキャリアを提供することができる。そのうえで、新生児がベビーキャリアの本体と使用者の身体の間に埋もれて、気道が圧迫されることを防止することができる。
【０００８】
また、ハーネスの上端側には、一対のハーネス側連結ベルトが配設され、ハーネス側連結ベルトの一方には、雄型バックルが配設され、他方には、雌型バックルが配設され、ハーネスをかさ上げ状態とするときに、雄型バックルと雌型バックルとが、キャリア本体の下端側に配設される筒状の筒部材内で連結可能とされている。
【０００９】
これによれば、筒部材内で、雄型バックルと雌型バックルとを連結させることで、保持される乳幼児及び保持する使用者に、連結された雄型バックルと雌型バックルが直接当たらなくなるので、乳幼児の保持状態を良好なものとすることができる。
【００１０】
また、ハーネスと、キャリア本体の下端側とが係合することで、かさ上げ状態となったハーネスの形状を保持する形状保持手段を有する構成とすれば、かさ上げされた状態のハーネスの形状が崩れてしまうことを防止することができる。
【００１１】
また、ハーネスに、充填物を充填可能な充填部を設ける構成とすれば、タオル、ハンカチなどの充填物を充填部に充填して、かさ上げ状態におけるハーネスの、かさ上げ形状、位置を調整することができる。
【００１２】
また、胴部の上部には、乳幼児の頭部を保持する帯状のヘッドカーテンを収納可能な収納部が設けられ、ヘッドカーテンは、一端側で収納部内に取り付けられ、他端側は自由端とされ、一端側の幅が他の部分より小さく形成された幅狭部を有し、収納部の出入り口の幅が、幅狭部の幅と略同一に形成されている。
【００１３】
これによれば、収納部の出入り口の幅が、幅狭部の幅と略同一に形成されていることで、折り畳む等してヘッドカーテンを収納したときに、ヘッドカーテンの幅狭部以外の部分が出入り口から飛び出すことを抑制し、ヘッドカーテンを収納したときの変形を防止することができる。よって、ヘッドカーテンを収納部に収納し強度を補強可能となり、首のすわっていない新生児の首が揺さぶられることを抑制することができる。
【図面の簡単な説明】
【００１４】
【図１】本考案の一実施形態のベビーキャリアのハーネスをかさ上げした状態の（ａ）は背面図、（ｂ）は斜め前からみた図である。
【図２】同実施形態のハーネスをかさ上げしない状態の（ａ）は背面図、（ｂ）は斜め前からみた図である。
【図３】図１の部分拡大図である。
【図４】同実施形態の（ａ）は図１（ａ）のＩＶａ−ＩＶａ線矢視断面図、（ｂ）は図２（ｂ）のＩＶｂ−ＩＶｂ線矢視断面図、（ｃ）はヘッドカーテンを取り出した状態の図である。
【図５】同実施形態の新生児を保持するときの使用状態説明図である。
【図６】ハーネスの変形例の横断面図である。
【図７】ハーネスの変形例の（ａ）は背面図、（ｂ）はかさ上げ状態の背面図、（ｃ）は左側面図、（ｄ）は（ｂ）のＶＩＩｄ−ＶＩＩｄ線矢視断面図である。
【考案を実施するための形態】
【００１５】
本考案のベビーキャリアの一実施形態について図面に基づいて説明する。以下の説明において、各図面に記載される矢印の、Ｒを右、Ｌを左、Ｕを上、Ｄを下、とする。また、図１（ａ）の紙面における、手前側を後、奥側を前、とする。
【００１６】
ベビーキャリア１０は、図１〜４に示すように、腰ベルト部２０と、胴部３０と、右肩ベルト５０、左肩ベルト５４（右肩ベルト５０と左肩ベルト５４で特許請求の範囲の一対の肩ベルト部に相当する）と、を有するキャリア本体１５と、ハーネス７０と、を備えている。
【００１７】
腰ベルト部２０は、内部にクッション材が充填された多層構造の帯状のクッション部２１と、右帯紐部２２と左帯紐部２４とで構成され、クッション部２１において胴部３０の下端側と連結されている。右帯紐部２２には雌バックル２３が取り付けられ、左帯紐部２４には雄バックル２５が連結位置を変更可能に取り付けられている。図１（ａ）、図２（ａ）に示すように、雌バックル２３と、雄バックル２５とが連結されて、腰ベルト部２０が円環状に形成され、使用者の腰に装着可能とされる。
【００１８】
胴部３０は、前側に配置される表生地３０ａと後側に配置される裏生地３０ｂとを備え、略矩形状に形成され乳幼児を保持可能とされている。胴部３０の上端部には、収納部３１が配設されている。収納部３１は、仕切り生地３０ｃが裏生地３０ｂと対向させて配置され、下縁部側を開口させた略台形形状に縫合されている。ヘッドカーテン３２を出し入れ可能とする出入り口３１ａは、本実施形態では、前後方向からみて、仕切り生地３０ｃと裏生地３０ｂの左右方向における中央部分が縫合されず、出入り口３１ａとされている。また、表生地３０ａは、図１、４等に示すように、出入り口３１ａを覆い、収納部３１の蓋の機能を果たしている。
【００１９】
ヘッドカーテン３２は、幅広部３２ａと、一端側の幅が幅広部３２ａより小さく形成された幅狭部３２ｂと、を有し、収納部３１の出入り口３１ａの幅と、幅狭部３２ｂの幅と略同一に形成されている。ヘッドカーテン３２は、一端側で仕切り生地３０ｃの下端中央部に縫合されて取り付けられ、他端側は自由端とされている。
【００２０】
胴部３０の左右の端部の上下方向における中央部には、右ベルト部材３３、左ベルト部材３５がそれぞれ取り付けられている。
【００２１】
右ベルト部材３３及び左ベルト部材３５の自由端側には、雄バックル３４、３６がそれぞれ連結位置を変更可能に取り付けられている。雄バックル３４、３６は、後述する右肩ベルト５０の雌バックル５３、左肩ベルト５４の雌バックル５７とそれぞれ連結可能とされている。
【００２２】
図２（ａ）に示すように、胴部３０の右肩ベルト５０、左肩ベルト５４との境界部分から、右本体側連結ベルト３７、左本体側連結ベルト３９（特許請求の範囲の一対の本体側連結ベルトに相当する）がそれぞれ延設され、右本体側連結ベルト３７に雌型バックル３８、左本体側連結ベルト３９に雄型バックル４０、が配設されている。
【００２３】
右肩ベルト５０は、クッション材が内部に充填された多層構造の帯状のクッション部５１と、右帯紐部５２とを有して、胴部３０の上端側から延設されている（右肩ベルト５０と左肩ベルト５４で特許請求の範囲の一対の肩ベルト部に相当する）。
【００２４】
クッション部５１は、一端側で胴部３０の右上部分と連結されている。右帯紐部５２は、長手方向における両端部でクッション部５１に縫合され、右帯紐部５２の下端部には、雌バックル５３が取り付けられている。
【００２５】
左肩ベルト５４は、クッション材が内部に充填された多層構造の帯状のクッション部５５と、左帯紐部５６とを有して、胴部３０の上端側から延設されている。
【００２６】
クッション部５５は、一端側で胴部３０の左上部分と連結されている。左帯紐部５６は、長手方向における両端部でクッション部５５に縫合され、右帯紐部５２の下端部には、雌バックル５７が取り付けられている。
【００２７】
右帯紐部５２、左帯紐部５６の長手方向における中央部には、位置決めバックル５８、５９が、右帯紐部５２、左帯紐部５６の長手方向における位置を変更可能にそれぞれ取り付けられている。
【００２８】
クッション部５１の中間部分には、右肩ベルト５０と左肩ベルト５４とを連結可能とする右ベルト６０と、左ベルト６２が配設されている。
【００２９】
右ベルト６０は、円環状に形成されたリング部６０ａと、リング部６０ａから帯状に延びる紐部６０ｂと、を有している。右ベルト６０の紐部６０ｂには、雌バックル６１が連結位置を変更可能に取り付けられている。
【００３０】
左ベルト６２は、円環状に形成されたリング部６２ａと、リング部６２ａから帯状に延びる紐部６２ｂと、を有している。左ベルト６２の紐部６２ｂには、雄バックル６３が連結位置を変更可能に取り付けられている。
【００３１】
リング部６０ａは、位置決めバックル５８に係止可能とされ、リング部６２ａは、位置決めバックル５９に係止可能とされ、右帯紐部５２、左帯紐部５６の長手方向における位置をそれぞれ変更可能とされている。
【００３２】
右ベルト部材３３の雄バックル３４と右肩ベルト５０の雌バックル５３、左ベルト部材３５の雄バックル３６と左肩ベルト５４の雌バックル５７、とが連結されて、右肩ベルト５０、左肩ベルト５４がキャリア本体１５の胴部３０に環状に装着されることになる。
【００３３】
また、右ベルト６０の雌バックル６１と、左ベルト６２の雄バックル６３とが連結されて、右肩ベルト５０と、左肩ベルト５４とを連結可能としている。
【００３４】
ハーネス７０は、矩形帯状に形成され、下端側で胴部３０と腰ベルト部２０の境界部分、つまり、キャリア本体１５の下端側と連結され、乳幼児を胴部３０とで挟み込み可能とされている。図１（ａ）の状態において、右上には、右ハーネス側連結ベルト７１が配設され、左上には、左ハーネス側連結ベルト７３が配設されている（両方合わせて特許請求の範囲の一対のハーネス側連結ベルトに相当する）。右ハーネス側連結ベルト７１には、雄型バックル７２が配設され、左ハーネス側連結ベルト７３には、雌型バックル７４が配設され、ハーネス７０の上端部側と、キャリア本体１５とが、着脱可能に連結される。
【００３５】
図１（ａ）の状態において、右ハーネス側連結ベルト７１の雄型バックル７２と雌型バックル３８の雌型バックル３８とが、左ハーネス側連結ベルト７３の雌型バックル７４と、左本体側連結ベルト３９の雄型バックル４０とが連結されている。
【００３６】
キャリア本体１５の胴部３０と腰ベルト部２０の境界部分には、左右方向の端部が開放した筒状の筒部材７５が、配設されている。筒部材７５は、クッション材が内部に充填され、下端側において胴部３０と腰ベルト部２０の境界部分と連結している。
【００３７】
ハーネス７０の前面には、上下方向に沿って面ファスナー７６が取り付けられ、筒部材７５には、面ファスナー７７が取り付けられ、図２（ａ）に示すように、面ファスナー７６と面ファスナー７７とを係合させることで、ハーネス７０のかさ上げ状態の形状を保持することになる。面ファスナー７６と面ファスナー７７とで、形状保持手段７８が構成される。
【００３８】
ハーネス７０には、タオル、ハンカチ等の充填物を充填可能な充填部７９が設けられている。本実施形態では、図１（ａ）の状態において、ハーネス７０の後側に矩形状の充填部形成生地を重ねあわせて、下端部以外を縫合することで、ポケット状に形成されている。
【００３９】
ハーネス７０をかさ上げ状態とする、図１（ａ）の状態において、右ハーネス側連結ベルト７１の雄型バックル７２と、左ハーネス側連結ベルト７３の雌型バックル７４とが、キャリア本体１５の下端側に配設される筒状の筒部材７５内で連結可能とされている。
【００４０】
ベビーキャリア１０の使用態様としては、首のすわっていない新生児を保持する場合には、図２（ａ）、（ｂ）の状態から、右ハーネス側連結ベルト７１の雄型バックル７２と右本体側連結ベルト３７の雌型バックル３８、左ハーネス側連結ベルト７３の雌型バックル７４と左本体側連結ベルト３９の雄型バックル４０、の連結を解除して、ハーネス７０の上端側とキャリア本体１５の胴部３０上端側とを離脱させる。そして、ハーネス７０をロール巻き等して円柱状に形成した後、面ファスナー７６と面ファスナー７７とを係合させてハーネス７０の形状を保持させる。さらに、右ハーネス側連結ベルト７１の雄型バックル７２と、左ハーネス側連結ベルト７３の雌型バックル７４とを連結して、ハーネス７０の上端側とキャリア本体１５の下端側とを係合させることにより、図１（ａ）、（ｂ）に示すように、ハーネス７０が台座形状に変形して、乳幼児の尻の位置を上側に配置可能とするかさ上げ状態となる。図５に示すように、変形したハーネス７０に新生児の尻を乗せる。
【００４１】
一方、図２（ｂ）に示すように、収納部３１から出されているヘッドカーテン３２を、ロール巻き等して円柱状に形成するとともに、収納部３１に収納する。このとき、図４（ｃ）に示すように、収納部３１の出入り口３１ａの幅が、幅狭部３２ｂの幅と略同一に形成されているので、ヘッドカーテン３２の大半の領域を占める幅広部３２ａが円柱状に形成されヘッドカーテン３２が、出入り口３１ａから出てしまうことを防止して、ヘッドカーテン３２の形状を安定させることができる。よって、ヘッドカーテン３２の強度を保って首のぐらつきを防止し、新生児を安定して保持することができる。
【００４２】
新生児より成長した乳幼児を保持する場合には、図２（ａ）、（ｂ）に示すように、右ハーネス側連結ベルト７１の雄型バックル７２と右本体側連結ベルト３７の雌型バックル３８、左ハーネス側連結ベルト７３の雌型バックル７４と左本体側連結ベルト３９の雄型バックル４０、を連結して、胴部３０とハーネス７０との間に乳幼児を配置する。
【００４３】
ハーネス７０の下端部は、キャリア本体１５の下側で連結されているので、乳幼児の股部分が配置され、胴部３０とハーネス７０とで乳幼児を挟み込んで、ベビーキャリア１０の左右の隙間部分から乳幼児が落ちてしまうことを防止する。
【００４４】
上記構成のベビーキャリア１０では、乳幼児を保持可能な胴部３０と、胴部３０の下端側で連結される腰ベルト部２０と、胴部３０の上端側から延設される右肩ベルト５０、左肩ベルト５４（肩ベルト部）と、を有するキャリア本体１５と、上端側でキャリア本体１５の上端側で着脱可能に連結されるとともに、下端側でキャリア本体１５の下端側で連結され、乳幼児を胴部３０とで挟み込み可能なハーネス７０と、を備え、乳幼児を保持する場合に、ハーネス７０の上端側とキャリア本体１５の上端側とを離脱させるとともに、ハーネス７０の上端側とキャリア本体１５の下端側とを係合させることにより、ハーネス７０が、乳幼児の尻の位置を上側に配置可能とするかさ上げ状態となる。
【００４５】
これによれば、ハーネス７０を折り込む、巻く等して変形させてから、ハーネス７０の上端側とキャリア本体１５の下端側とを係合させることにより、かさ上げ状態とすることで、体の小さい新生児の尻の位置を上側に配置して頭部の位置を適切にすることが可能となり、オプション部材を不要とし、低コストでベビーキャリア１０を提供することができる。そのうえで、新生児がベビーキャリア１０の本体と使用者の身体の間に埋もれて、気道が圧迫されることを防止することができる。
【００４６】
また、ハーネス７０の上端側には、右ハーネス側連結ベルト７１、左ハーネス側連結ベルト７３が配設され、右ハーネス側連結ベルト７１には、雄型バックル７２雄型バックルが配設され、左ハーネス側連結ベルト７３には、雌型バックル７４が配設され、ハーネス７０をかさ上げ状態とするときに、雄型バックル７２と雌型バックル７４とが、キャリア本体１５の下端側に配設される筒状の筒部材７５内で連結可能とされている。
【００４７】
これによれば、筒部材７５内で、雄型バックル７２と雌型バックル７４とを連結させることで、保持される乳幼児及び保持する使用者に、連結された雄型バックル７２と雌型バックル７４が直接当たらなくなるので、乳幼児の保持状態を良好なものとすることができる。
【００４８】
また、ハーネス７０に設けられた面ファスナー７６と、キャリア本体１５の下端側に設けられた面ファスナー７７とが係合することで、かさ上げ状態となったハーネス７０の形状を保持する形状保持手段７８を有しているので、かさ上げされた状態のハーネス７０の形状が崩れてしまうことを防止することができる。
【００４９】
また、ハーネス７０に、充填物を充填可能な充填部７９を設ける構成としているので、タオル、ハンカチなどの充填物を充填部７９に充填して、かさ上げ状態におけるハーネス７０の、かさ上げ形状、位置を調整することができる。
【００５０】
また、胴部３０の上部には、乳幼児の頭部を保持する帯状のヘッドカーテン３２を収納可能な収納部３１が設けられ、ヘッドカーテン３２は、一端側で収納部３１内に取り付けられ、他端側は自由端とされ、一端側の幅が他の部分より小さく形成された幅狭部３２ｂを有し、収納部３１の出入り口３１ａの幅が、幅狭部３２ｂの幅と略同一に形成されている。
【００５１】
これによれば、収納部３１の出入り口３１ａの幅が、幅狭部３２ｂの幅と略同一に形成されていることで、折り畳む等してヘッドカーテン３２を収納したときに、ヘッドカーテン３２の幅狭部３２ｂ以外の部分が出入り口３１ａから飛び出すことを抑制し、ヘッドカーテン３２を収納したときの変形を防止することができる。よって、ヘッドカーテン３２を収納部３１に収納し強度を補強可能となり、首のすわっていない新生児の首が揺さぶられることを抑制することができる。
【００５２】
本考案のベビーキャリアは上記構成に限定されるものではない。即ち、本考案の要旨を逸脱しない限り各種の設計変更等が可能である。以下に、変形した態様を例示する。なお、上記実施形態と同じ構成については、同一符号を付し全部又は一部の説明を省略する。
【００５３】
例えば、図６に示すように、筒部材７５は、ハーネス７０の基端部分に連設させることもできる。
【００５４】
また、図７に示すように、ハーネス８０に右挿通孔８０ａ、左挿通孔８０ｂを二か所設けて、右ハーネス側連結ベルト７１の雄型バックル７２を右挿通孔８０ａに前側から挿通させ、左ハーネス側連結ベルト７３の雌型バックル７４を前側から左挿通孔８０ｂに挿通して、後側で、右ハーネス側連結ベルト７１の雄型バックル７２と左ハーネス側連結ベルト７３の雌型バックル７４とを連結する構成とすることができる。このような構成によっても、オプション部材を不要とし、低コストでベビーキャリアを提供することができる。
【００５５】
また、形状保持手段７８は、衣服等に用いられる鉤と受け金とからなるスナップ（ホック）等の係合可能な部材を、ハーネス７０、８０、キャリア本体１５に配設することができる。
【符号の説明】
【００５６】
１０  ベビーキャリア
１５  キャリア本体
２０  腰ベルト部
３０  胴部
３１  収納部
３１ａ  出入り口
３２  ヘッドカーテン
３２ｂ  幅狭部
５０  右肩ベルト
５４  左肩ベルト
７０  ハーネス
７１  右ハーネス側連結ベルト
７２  雄型バックル
７３  左ハーネス側連結ベルト
７４  雌型バックル
７５  筒部材
７８  形状保持手段
７９  充填部
８０  ハーネス
８０ａ  右挿通孔
８０ｂ  左挿通孔
【図１】
0003198213.tif 000003
【図２】
0003198213.tif 000004
【図３】
0003198213.tif 000005
【図４】
0003198213.tif 000006
【図５】
0003198213.tif 000007
【図６】
0003198213.tif 000008
【図７】
0003198213.tif 000009